(57)【要約】【課題】マルチキャストＩＰネットワーク間の映像伝送を、ユニキャストＩＰネットワークを経由して行う場合にアドレス変換処理負荷の少ないユニキャストマルチキャスト変換装置を提供すること。【解決手段】送信側ＩＰネットワーク１０１上の映像パケットのマルチキャストアドレスを、ユニキャスト公衆ＩＰネットワーク１０２上の映像パケットのユニキャストアドレスに変換する変換方法を保持する変換テーブル１０６と、変換テーブル１０６の内容を設定する設定部１０３と、変換テーブル１０６に設定された内容に基づいて、送信側ＩＰネットワーク１０１から受信した映像パケットのマルチキャストアドレスのユニキャストアドレスへの変換可否の判定を行う変換判定部１０８と、変換判定部１０８の変換可否の判定結果に基づいて、映像パケットのマルチキャストアドレスをユニキャストアドレスに変換する変換部１０９とを有する。【選択図】図１
2007060197.tif 000002
【特許請求の範囲】
【請求項１】
マルチキャストＩＰネットワーク上の映像パケットのマルチキャストアドレスを、ユニキャストＩＰネットワーク上の前記映像パケットのユニキャストアドレスに変換する変換方法を保持する変換テーブルと、
前記変換テーブルの内容を設定する設定部と、
前記変換テーブルに設定された内容に基づいて、前記マルチキャストＩＰネットワークから受信した前記映像パケットのマルチキャストアドレスの前記映像パケットのユニキャストアドレスへの変換可否の判定を行う変換判定部と、
前記変換判定部の変換可否の判定結果に基づいて、前記映像パケットのマルチキャストアドレスを前記映像パケットのユニキャストアドレスに変換する変換部とを有するユニキャストマルチキャスト変換装置。
【請求項２】
変換前の前記映像パケットのサイズと変換後の前記映像パケットのサイズとが同一である請求項１記載のユニキャストマルチキャスト変換装置。
【請求項３】
前記変換部は、変換前の前記映像パケットのマルチキャストアドレスに、変換後の前記映像パケットのユニキャストアドレスを上書きする請求項１または請求項２記載のユニキャストマルチキャスト変換装置。
【請求項４】
ユニキャストＩＰネットワーク上の映像パケットのユニキャストアドレスを、マルチキャストＩＰネットワーク上の前記映像パケットのマルチキャストアドレスに変換する変換方法を保持する変換テーブルと、
前記変換テーブルの内容を設定する設定部と、
前記変換テーブルに設定された内容に基づいて、前記ユニキャストＩＰネットワークから受信した前記映像パケットのユニキャストアドレスの前記映像パケットのマルチキャストアドレスへの変換可否の判定を行う変換判定部と、
前記変換判定部の変換可否の判定結果に基づいて、前記映像パケットのユニキャストアドレスを前記映像パケットのマルチキャストアドレスに変換する変換部とを有するマルチキャストユニキャスト変換装置。
【請求項５】
変換前の前記映像パケットと変換後の前記映像パケットのサイズが同一である請求項４記載のマルチキャストユニキャスト変換装置。
【請求項６】
前記変換部は、変換前の前記映像パケットのユニキャストアドレスに、変換後の前記映像パケットのマルチキャストアドレスを上書きする請求項４または請求項５記載のマルチキャストユニキャスト変換装置。
【発明の詳細な説明】
【技術分野】
【０００１】
本発明は、ユニキャストマルチキャスト変換装置およびマルチキャストユニキャスト変換装置に関する。
【背景技術】
【０００２】
従来のユニキャストマルチキャスト変換装置は、図８に示すようにマルチキャストがサポートされた送信側ドメイン３１０と、同じくマルチキャストがサポートされた受信側ドメイン３０２とがユニキャストで接続されている。
【０００３】
送信側ドメイン３１０の転送装置３１１と受信側ドメイン３０２の転送装置３２１は、あらかじめ転送関係を確立している。
【０００４】
送信者３１２から図９に示す元のパケット９１が送られると、転送装置３１１で、ヘッダ部の大きさを広げ、元のパケット９１のイーサヘッダとＩＰヘッダ間に、転送時のパケット９２のＩＰヘッダ（付加）のようなユニキャスト用のＩＰヘッダを付け加える。こうして作成された転送時のパケット９２を受信側ドメイン３０２の転送装置３２１に送る。転送装置３２１では、受信側ドメイン３０２用に転送時のパケット９２のＩＰヘッダ（付加）を削除し、ＩＰヘッダとＵＤＰヘッダを書き換え、配信時のパケット９３を作成する。
【０００５】
この結果、受信者３２３、３２４にデータを送ることができる（例えば、特許文献１参照）。
【特許文献１】特開２００１−２４４９７８号公報（第３〜５頁、第１図、第３図、第４図、第５図）
【発明の開示】
【発明が解決しようとする課題】
【０００６】
しかしながら、従来のユニキャストマルチキャスト変換装置においては、送信側ドメインにおいて、マルチキャストアドレスからユニキャストアドレスに変換する際に、受信ドメインにおいて、マルチキャストアドレスを復元するためのアドレス情報をＩＰヘッダとして付加する。このとき、ヘッダ部の大きさを広げた上で、ＩＰヘッダを付加する必要があり、処理が複雑化するという問題があった。
【０００７】
本発明は、従来の問題を解決するためになされたもので、マルチキャストアドレスとユニキャストアドレス間のアドレス変換を簡易な処理で実現することのできるユニキャストマルチキャスト変換装置およびマルチキャストユニキャスト変換装置を提供することを目的とする。
【課題を解決するための手段】
【０００８】
本発明のユニキャストマルチキャスト変換装置は、マルチキャストＩＰネットワーク上の映像パケットのマルチキャストアドレスを、ユニキャストＩＰネットワーク上の前記映像パケットのユニキャストアドレスに変換する変換方法を保持する変換テーブルと、前記変換テーブルの内容を設定する設定部と、前記変換テーブルに設定された内容に基づいて、前記マルチキャストＩＰネットワークから受信した前記映像パケットのマルチキャストアドレスの前記映像パケットのユニキャストアドレスへの変換可否の判定を行う変換判定部と、前記変換判定部の変換可否の判定結果に基づいて前記映像パケットのマルチキャストアドレスを前記映像パケットのユニキャストアドレスに変換する変換部とを有している。
【０００９】
この構成により、変換テーブルに設定された情報の変換可否を行うという簡易な処理で、マルチキャストＩＰネットワーク上のマルチキャストアドレスからユニキャストＩＰネットワーク上のユニキャストアドレスへのアドレス変換を実行することができる。
【００１０】
また、本発明のユニキャストマルチキャスト変換装置は、変換前の前記映像パケットのサイズと変換後の前記映像パケットのサイズとが同一である。
【００１１】
この構成により、変換テーブルに設定された情報の変換可否を行うという簡易な処理で、マルチキャストＩＰネットワーク上のマルチキャストアドレスからユニキャストＩＰネットワーク上のユニキャストアドレスへのアドレス変換を実行することができる。
【００１２】
さらに、本発明のユニキャストマルチキャスト変換装置は、前記変換部が、変換前の前記映像パケットのマルチキャストアドレスに、変換後の前記映像パケットのユニキャストアドレスを上書きする。
【００１３】
この構成により、マルチキャストアドレスをユニキャストアドレスに簡単に変換することができる。
【００１４】
さらに、本発明のマルチキャストユニキャスト変換装置は、ユニキャストＩＰネットワーク上の映像パケットのユニキャストアドレスを、マルチキャストＩＰネットワーク上の前記映像パケットのマルチキャストアドレスに変換する変換方法を保持する変換テーブルと、前記変換テーブルの内容を設定する設定部と、前記変換テーブルに設定された内容に基づいて、前記ユニキャストＩＰネットワークから受信した前記映像パケットのユニキャストアドレスの前記映像パケットのマルチキャストアドレスへの変換可否の判定を行う変換判定部と、前記変換判定部の変換可否の判定結果に基づいて、前記映像パケットのユニキャストアドレスを前記映像パケットのマルチキャストアドレスに変換する変換部とを有している。
【００１５】
この構成により、変換テーブルに設定された情報の変換可否を行うという簡易な処理で、ユニキャストＩＰネットワーク上のユニキャストアドレスからマルチキャストＩＰネットワーク上のマルチキャストアドレスへのアドレス変換を実行することができる。
【００１６】
さらに、本発明のマルチキャストユニキャスト変換装置は、変換前の前記映像パケットと変換後の前記映像パケットのサイズとが同一である。
【００１７】
この構成により、変換テーブルに設定された情報の変換可否を行うという簡易な処理で、ユニキャストＩＰネットワーク上のユニキャストアドレスからマルチキャストＩＰネットワーク上のマルチキャストアドレスへのアドレス変換を実行することができる。
【００１８】
さらに、本発明のマルチキャストユニキャスト変換装置は、前記変換部が、変換前の前記映像パケットのユニキャストアドレスに、変換後の前記映像パケットのマルチキャストアドレスを上書きする。
【００１９】
この構成により、ユニキャストアドレスをマルチキャストアドレスに簡単に変換することができる。
【発明の効果】
【００２０】
本発明は、マルチキャストＩＰネットワーク上の映像パケットのマルチキャストアドレスとユニキャストＩＰネットワーク上の映像パケットのユニキャストアドレスとのアドレス変換処理負荷を軽減した映像伝送を実現できるという効果を有するユニキャストマルチキャスト変換装置およびマルチキャストユニキャスト変換装置を提供することができるものである。
【発明を実施するための最良の形態】
【００２１】
（実施の形態１）
以下、本発明の実施の形態１におけるユニキャストマルチキャスト変換装置について、図面を用いて説明する。
【００２２】
図１は、本発明の実施の形態１におけるユニキャストマルチキャスト変換装置の構成を示すブロック図である。
【００２３】
図１において、本発明の実施の形態１のユニキャストマルチキャスト変換装置１００は、マルチキャストＩＰネットワークとしての送信側ＩＰネットワーク１０１およびユニキャストＩＰネットワークとしてのユニキャスト公衆ＩＰネットワーク１０２と接続されている。
【００２４】
また、ユニキャストマルチキャスト変換装置１００は、設定部１０３、マルチキャストネットワークインタフェース１０４、ＩＧＭＰ要求部１０５、変換テーブル１０６、パケットバッファ１０７、変換判定部１０８、変換部１０９、送信タイミング生成部１１０およびユニキャストネットワークインタフェース１１１によって構成されている。
【００２５】
設定部１０３は、変換対象となる送信側ＩＰネットワーク１０１上にて配信されている映像パケットのマルチキャストアドレスを、ユニキャスト公衆ＩＰネットワーク１０２上に送信するために用いる映像パケットのユニキャストアドレスに変換するための変換方法を設定する。変換テーブル１０６は、この変換方法を保持する。
【００２６】
マルチキャストネットワークインタフェース１０４は、送信側ＩＰネットワーク１０１との間で、データの送受信を行う。
【００２７】
ＩＧＭＰ要求部１０５は、マルチキャストネットワークインタフェース１０４を経由して、送信側ＩＰネットワーク１０１に、映像パケットを受信するためのＩＧＭＰ要求処理を行う。
【００２８】
パケットバッファ１０７は、マルチキャストネットワークインタフェース１０４を経由して送信側ＩＰネットワーク１０１から受信した映像パケットを一時的に保持する。
【００２９】
変換判定部１０８は、パケットバッファ１０７に保持されている映像パケットのマルチキャストアドレスを、変換テーブル１０６に保持されている対応関係と比較し、変換方法を判定する。
【００３０】
変換部１０９は、変換判定部１０８の判定結果に基づいて、パケットバッファ１０７に保持されている映像パケットのマルチキャストアドレスを、変換テーブル１０６を参照しながらユニキャストアドレスに変換する。すなわち、変換部１０９にて変換テーブル１０６に登録されている映像パケットのユニキャストアドレスを、映像パケットのマルチキャストアドレスに上書きすることでアドレス変換する。
【００３１】
送信タイミング生成部１１０は、マルチキャストネットワークインタフェース１０４で受信した映像パケットの受信タイミングと設定部１０３の設定情報に基づき、映像パケットを送信するタイミングを生成する。
【００３２】
ユニキャストネットワークインタフェース１１１は、送信タイミング生成部１１０が生成したタイミングに基づき、変換部１０９によって変換された映像パケットをユニキャスト公衆ＩＰネットワーク１０２に対して送信する。
【００３３】
以上のように構成されたユニキャストマルチキャスト変換装置について、以下その動作を説明する。
【００３４】
まず、設定部１０３は、ユーザからの指示により、映像パケットのマルチキャストアドレスをユニキャストアドレスに変換するアドレス変換方法を取得する。そしてその変換方法を変換テーブル１０６に登録する。また、設定部１０３は、ＩＧＭＰ要求部１０５に対して当該映像パケットを受信できるようにＩＧＭＰ要求処理を行わせる。
【００３５】
ＩＧＭＰ要求部１０５の行ったＩＧＭＰ要求処理によって、マルチキャストネットワークインタフェース１０４を介して受信された映像パケットは、パケットバッファ１０７に一時的に保持される。そして、変換判定部１０８により、変換テーブル１０６に登録されているマルチキャストアドレスと映像パケットのマルチキャストアドレスとを比較して、変換対象かどうかの判定が行われる。変換対象であった場合、当該映像パケットは、変換部１０９にて変換テーブル１０６に登録されているユニキャストアドレスを、マルチキャストアドレスに上書きされることでアドレス変換される。さらに、マルチキャストネットワークインタフェース１０４にて観測された当該映像パケットの受信タイミングから送信タイミング生成部１１０にて送信タイミングが生成され、そのタイミングに基づいて、アドレス変換後の映像パケットがユニキャストネットワークインタフェース１１１を介してユニキャスト公衆ＩＰネットワーク１０２に送信される。
【００３６】
図２は、マルチキャストアドレスからユニキャストアドレスへの変換方法を示している。映像パケットは図２（ａ）に示すように、宛先ＭＡＣアドレス、宛先ＩＰアドレス、宛先ポート番号、映像データなどによって構成されている。
【００３７】
これらの中で、マルチキャストアドレスからユニキャストアドレスに変換するためには、図２（ｂ）に示すように、変換前マルチキャスト情報から変換後ユニキャスト情報に書き換える。映像パケットの中で変換する部分は、宛先ＭＡＣアドレス、宛先ＩＰアドレスおよび宛先ポート番号であり、変換前マルチキャスト情報では、これら３つのフィールドによって、マルチキャスト情報Ａ〜Ｆが構成されている。
【００３８】
一方、変換後ユニキャスト情報では、宛先ＭＡＣアドレスおよび宛先ＩＰアドレスによってユニキャストアドレスＳ、Ｔ、Ｕが構成され、宛先ポート番号によってポート番号Ｘ、Ｙ、Ｚが構成されている。
【００３９】
このアドレス変換では、図２（ａ）に示す宛先ＭＡＣアドレス、宛先ＩＰアドレスおよび宛先ポート番号の内容を書き換えるだけであるので、変換前後の映像パケット全体のデータサイズは変化せず、同一となる。
【００４０】
図３は、マルチキャストアドレスからユニキャストアドレスへの変換手順を示している。
【００４１】
最初にマルチキャストネットワークインタフェース１０４より受信したパケットをパケットバッファ１０７へ一時的に保存する（ステップＳ３１）。
【００４２】
次に、変換判定部１０８は、バケットバッファ１０７から変換前マルチキャスト情報、すなわち宛先ＭＡＣアドレス、宛先ＩＰアドレスおよび宛先ポート番号を読み出し、変換部１０９へ転送する（ステップＳ３２）。
【００４３】
変換テーブル１０６に未評価のエントリがあれば（ステップＳ３３、ＹＥＳ）、変換判定部１０８は、変換テーブル１０６からエントリを一つ読み出す（ステップＳ３４）。
【００４４】
読み出した受信マルチキャスト情報と、当該エントリ中の変換前マルチキャスト情報とを比較する（ステップＳ３５）。
【００４５】
比較結果が一致していれば（ステップＳ３６、ＹＥＳ）、変換部１０９は、当該エントリ中の変換後ユニキャスト情報を受信マルチキャスト情報部分に上書きする（ステップＳ３７）。
【００４６】
そして、変換部１０９は、パケットデータをユニキャストネットワークインタフェース１１１に転送し送信する（ステップＳ３８）。そして処理を終了する。
【００４７】
また、ステップＳ３６において、一致していないとき（ステップＳ３６、ＮＯ）は、ステップＳ３６に戻って変換テーブル１０９の次のエントリを調べる。
【００４８】
さらに、ステップＳ３３において、エントリがすべて調べ終わったら（ステップＳ３３、ＮＯ）、ステップＳ３８を実行する。
【００４９】
図４は、ユニキャストマルチキャスト変換装置１００の動作のフロー図を示している。
【００５０】
設定部１０３によって、ユーザが映像パケットを送受信する通信速度レートを入力すると、設定部１０３は、割り込み時間間隔、受信バッファ上限量および送信開始量を計算する（ステップＳ４１）。
【００５１】
ＩＧＭＰ要求部１０５は、計算された割り込み時間間隔での、送信側ＩＰネットワーク１０１からの映像パケットの取り込みを要求する（ステップＳ４２）。そして、マルチキャストネットワークインタフェース１０４は、受信を開始する（ステップＳ４３）。
【００５２】
マルチキャストネットワークインタフェース１０４は、割り込み発生を待つ（ステップＳ４４、ＮＯ）。
【００５３】
割り込みが発生したら（ステップＳ４４、ＹＥＳ）、受信した映像パケットの数が上限を超えているか否かを判定する。
【００５４】
受信したパケットの受信量が上限を超えていた場合（ステップＳ４５、ＹＥＳ）は、超過分を破棄して（ステップＳ４６）、マルチキャストアドレスをユニキャストアドレスに変換して、規定数の映像パケットを送信する（ステップＳ４８）。
【００５５】
受信した映像パケットの数が送信を開始する規定数に達するまで映像パケットの受信を続ける（ステップＳ４７、ＮＯ）。
【００５６】
受信した映像パケットの数が送信を開始する規定量に達したら（ステップＳ４７、ＹＥＳ）、マルチキャストアドレスをユニキャストアドレスに変換して映像パケットを送信する（ステップＳ４８）。
【００５７】
終了の指示があるまで受信の処理を続ける（ステップＳ４９、ＮＯ）。終了の指示があれば（ステップＳ４９、ＹＥＳ）、受信を終了する。
【００５８】
以上のように、本発明の実施の形態１によれば、変換テーブル１０６に設定された情報を比較参照するという簡易な処理でアドレス変換を実行できるので、アドレス変換処理負荷の少ないユニキャストマルチキャスト変換装置を実現することができる。
【００５９】
（実施の形態２）
次に、本発明の実施の形態２のマルチキャストユニキャスト変換装置を図５に示す。なお、実施の形態１と同じ部分については、符号を共通にして説明を省略する。
【００６０】
図５において、本発明の実施の形態２のマルチキャストユニキャスト変換装置２００は、マルチキャストＩＰネットワークとしての受信側ＩＰネットワーク２０２およびユニキャスト公衆ＩＰネットワーク１０２と接続されている。
【００６１】
また、マルチキャストユニキャスト変換装置２００は、マルチキャストネットワークインタフェース１０４、ユニキャストネットワークインタフェース１１１、設定部２０３、ＩＧＭＰ要求部２０５、変換テーブル２０６、パケットバッファ２０８、変換判定部２０９、変換部２１０および送信タイミング生成部２１１によって構成されている。
【００６２】
設定部２０３は、ユーザ操作によって、ユニキャスト公衆ＩＰネットワーク１０２上のアドレスから受信側ＩＰネットワーク２０２上のアドレスに変換する変換方法を設定する。この変換方法は、変換テーブル２０６に記録される。
【００６３】
ＩＧＭＰ要求部２０５は、マルチキャストネットワークインタフェース１０４を介して受信側ＩＰネットワーク２０２に対して、当該映像パケットを送信するためのＩＧＭＰ要求処理を行う。
【００６４】
ユニキャストネットワークインタフェース１１１は、ユニキャスト公衆ＩＰネットワーク１０２から映像パケットを受信する。パケットバッファ２０８は、この映像パケットを保持する。変換判定部２０９は、パケットバッファ２０８に保持された映像パケットのアドレスと、変換テーブル２０６に保持されたアドレスとの変換方法を比較して、映像パケットのユニキャストアドレスを受信側ＩＰネットワーク２０２のアドレスに変換するか否かを判定する。
【００６５】
変換部２１０は、この判定結果に基づいて、パケットバッファ２０８内の映像パケットのアドレスを変換する。
【００６６】
送信タイミング生成部２１１は、設定部２０３で入力された映像パケットの送信速度と、ユニキャストネットワークインタフェース１１１で受信した映像パケットとを参照して、受信側ＩＰネットワーク２０２へ映像パケットを送信するタイミングを決定する。
【００６７】
マルチキャストネットワークインタフェース１０４は、送信タイミング生成部２１１の生成した送信タイミングに基づいて、変換部２１０で変換された映像パケットを受信側ＩＰネットワーク２０２に送信する。
【００６８】
以上のように構成されたマルチキャストユニキャスト変換装置について、以下その動作を説明する。
【００６９】
まず、設定部２０３がユーザからの指示に従って、対象となる映像パケットのユニキャストアドレスからマルチキャストアドレスへの変換方法を取得し、変換テーブル２０６に登録する。そして、ＩＧＭＰ要求部２０５は、映像パケットを送信できるようにＩＧＭＰ要求処理を行う。ユニキャストネットワークインタフェース１１１を介して受信された映像パケットは、パケットバッファ２０８に一時的に保持される間に、変換判定部２０９にて変換テーブル２０６に登録されているユニキャストアドレスとの比較により変換対象かどうかの判定が行われる。変換対象であった場合、当該映像パケットは、変換部２１０にて変換テーブル２０６に登録されているユニキャストアドレスにマルチキャストアドレスを上書きされることでアドレス変換が実行される。さらに、ユニキャストネットワークインタフェース１１１にて観測された当該映像パケットの受信タイミングから送信タイミング生成部２１１にて送信タイミングが生成され、そのタイミングに基づいて、前記のアドレス変換後のパケットがマルチキャストネットワークインタフェース１０４を介して受信側ＩＰネットワーク２０２に送信される。
【００７０】
図６は、マルチキャストアドレスからユニキャストアドレスへの変換方法を示している。映像パケットは図６（ａ）に示すように、宛先ＭＡＣアドレス、宛先ＩＰアドレス、宛先ポート番号、映像データなどによって構成されている。
【００７１】
これらのの中で、マルチキャストアドレスからユニキャストアドレスに変換するためには、図６（ｂ）に示すように、変換前のユニキャスト情報の宛先ポート番号を見て、変換後のマルチキャスト情報を調べ、宛先ＭＡＣアドレス、宛先ＩＰアドレス、宛先ポート番号を置き換える。
【００７２】
このアドレス変換では、図６（ａ）に示す宛先ＭＡＣアドレス、宛先ＩＰアドレスおよび宛先ポート番号の内容を書き換えるだけであるので、変換前後の映像パケット全体のデータサイズは変化せず、同一となる。
【００７３】
図７は、ユニキャストアドレスからマルチキャストアドレスへの変換手順を示している。
【００７４】
最初に、ユニキャストネットワークインタフェース１１１より受信したパケットをパケットバッファ２０８へ一時的に保存する（ステップＳ７１）。
【００７５】
次に、変換判定部２０９は、バケットバッファ２０８から宛先ポート番号を読み出し、変換部２１０へ転送する（ステップＳ７２）。
【００７６】
変換テーブル２０６に未評価のエントリがあれば（ステップＳ７３、ＹＥＳ）、変換判定部２０９は、変換テーブル２０６からエントリを一つ読み出す（ステップＳ７４）。
【００７７】
読み出した受信ユニキャスト情報と、当該エントリ中の変換前ユニキャスト情報とを比較する（ステップＳ７５）。
【００７８】
比較結果が一致していれば（ステップＳ７６、ＹＥＳ）、変換部２１０は、当該エントリ中の変換後マルチキャスト情報を受信ユニキャスト情報部分に上書きする（ステップＳ７７）。
【００７９】
そして、変換部２１０は、パケットデータをユニキャストネットワークインタフェース１１１に転送し送信する（ステップＳ７８）。そして処理を終了する。
【００８０】
また、ステップＳ７６において、一致しないとき（ステップＳ７６、ＮＯ）は、ステップＳ７６に戻って変換テーブル２０６の次のエントリを調べる。
【００８１】
さらに、ステップＳ７３において、エントリをすべて調べ終わったら（ステップＳ７３、ＮＯ）、ステップＳ７８を実行する。
【００８２】
以上のように、本発明の実施の形態２によれば、変換テーブル２０６に設定された情報を比較参照するという簡易な処理でアドレス変換が実行できるので、アドレス変換処理負荷の少ないマルチキャストユニキャスト変換装置を実現することができる。
【産業上の利用可能性】
【００８３】
以上のように、本発明にかかるユニキャストマルチキャスト変換装置およびマルチキャストユニキャスト変換装置は、変換テーブルに設定された情報を比較参照するという簡易な処理でアドレス変換を実行できるという効果を有し、マルチキャスト通信がサポートされた複数の独立したドメイン間を、ユニキャスト通信のみがサポートされた公衆網等のＩＰネットワークを経由して接続する場合等に用いられるユニキャストマルチキャスト変換装置およびマルチキャストユニキャスト変換装置として有用である。
【図面の簡単な説明】
【００８４】
【図１】本発明の実施の形態１におけるユニキャストマルチキャスト変換装置の構成を示すブロック図
【図２】本発明の実施の形態１におけるユニキャストマルチキャスト変換装置においてアドレスを変更する場合の説明図
【図３】本発明の実施の形態１におけるユニキャストマルチキャスト変換装置においてアドレスを変更する場合のフロー図
【図４】本発明の実施の形態１におけるユニキャストマルチキャスト変換装置の動作を示すフロー図
【図５】本発明の実施の形態２におけるマルチキャストユニキャスト変換装置の構成を示すブロック図
【図６】本発明の実施の形態２におけるユニキャストマルチキャスト変換装置においてアドレスを変更する場合の説明図
【図７】本発明の実施の形態２におけるユニキャストマルチキャスト変換装置においてアドレスを変更する場合のフロー図
【図８】従来のユニキャストマルチキャスト変換装置の構成を示すブロック図
【図９】従来のユニキャストマルチキャスト変換装置の動作を説明する図
【符号の説明】
【００８５】
１００    ユニキャストマルチキャスト変換装置
１０１    送信側ＩＰネットワーク
１０２    ユニキャスト公衆ＩＰネットワーク
１０３    設定部
１０４    マルチキャストネットワークインタフェース
１０５    ＩＧＭＰ要求部
１０６    変換テーブル
１０７    パケットバッファ
１０８    変換判定部
１０９    変換部
１１０    送信タイミング生成部
１１１    ユニキャストネットワークインタフェース
２００    マルチキャストユニキャスト変換装置
２０２    受信側ＩＰネットワーク
２０３    設定部
２０５    ＩＧＭＰ要求部
２０６    変換テーブル
２０８    パケットバッファ
２０９    変換判定部
２１０    変換部
２１１    送信タイミング生成部
【図１】
2007060197.tif 000003
【図２】
2007060197.tif 000004
【図３】
2007060197.tif 000005
【図４】
2007060197.tif 000006
【図５】
2007060197.tif 000007
【図６】
2007060197.tif 000008
【図７】
2007060197.tif 000009
【図８】
2007060197.tif 000010
【図９】
2007060197.tif 000011